(57)【要約】【課題】  水素ガスを伸縮自在であって真空状態に維持されている貯留体に貯留するようにし、且つ一定の圧力をかけて燃焼室に送り込むようにすることで、水素ガス発生から燃焼室に供給する間において、空気等が入り込めず、純水な水素ガスを燃焼室に圧力をかけて送り込める水素ガスを用いた内燃機関を提供する。【解決手段】  水素ガスを用いた内燃機関は、水素ガスを伸縮自在であって真空状態に維持されている貯留体に貯留する水素ガス貯留手段と、前記水素ガス貯留手段により貯留されている水素ガスを所定の圧力を加えて送出する加圧手段と、前記加圧手段により加圧された水素ガスを燃焼室で燃焼させる燃焼手段と、を備えたことである。【選択図】  図１
2006258085.tif 000002
【特許請求の範囲】
【請求項１】
水素ガスを伸縮自在であって真空状態に維持されている貯留体に貯留する水素ガス貯留手段と、
前記水素ガス貯留手段により貯留されている水素ガスを所定の圧力を加えて送出する加圧手段と、
前記加圧手段により加圧された水素ガスを燃焼室で燃焼させる燃焼手段と、を備えたことを特徴とする水素ガスを用いた内燃機関。
【請求項２】
前記水素ガス貯留手段は、水素ガスを供給する供給手段から貯留体に水素ガスを貯留する構成を備えたことを特徴とする請求項１に記載の水素ガスを用いた内燃機関。
【請求項３】
前記水素ガス貯留手段は、電気分解により水素ガスを発生させる水素ガス発生手段から貯留体に水素ガスを貯留する構成を備えたことを特徴とする請求項１に記載の水素ガスを用いた内燃機関。
【請求項４】
前記水素ガス貯留手段は、前記貯留体を保護するカバーを取付けたことを特徴とする請求項１乃至３に記載の水素ガスを用いた内燃機関。
【請求項５】
前記燃焼手段には、起動時に化石燃料に基づいて燃焼させる起動用燃焼手段を備えたことを特徴とする請求項１に記載の水素ガスを用いた内燃機関。
【請求項６】
内燃機関による駆動手段を備えた機関体であって、
水素ガスを伸縮自在であって真空状態に維持されている貯留体に貯留する水素ガス貯留手段と、
前記水素ガス貯留手段により貯留されている水素ガスを所定の圧力を加えて送出する加圧手段と、
前記加圧手段により加圧された水素ガスを燃焼室で燃焼させる燃焼手段と、を備えたことを特徴とする機関体。
【請求項７】
前記水素ガス貯留手段は、水素ガスを供給する供給手段から貯留体に水素ガスを貯留する構成を備えたことを特徴とする請求項６に記載の機関体。
【請求項８】
前記水素ガス貯留手段は、電気分解により水素ガスを発生させる水素ガス発生手段から貯留体に水素ガスを貯留する構成を備えたことを特徴とする請求項６に記載の水素ガスを用いた内燃機関。
【請求項９】
前記水素ガス貯留手段は、前記貯留体を保護するカバーを取付けたことを特徴とする請求項６乃至８に記載の機関体。
【請求項１０】
前記燃焼手段には、起動時に化石燃料に基づいて燃焼させる起動用燃焼手段を備えたことを特徴とする請求項６に記載の機関体。
【発明の詳細な説明】
【技術分野】
【０００１】  本発明は、水素ガスを用いた内燃機関及び機関体に関し、詳しくは水素ガスを伸縮自在な貯留体に貯留させ、一定の圧力をかけて直接エンジンに供給して動力源とする水素ガスを用いた内燃機関及びこの内燃機関を備えた機関体に関する。
【背景技術】
【０００２】  従来技術における水の電気分解により酸素と水素を発生させることは周知の事実であり、それはファラデーの電気分解の法則を原理としている。
それは、純粋な水では電気を通さないため、通常水に水酸化ナトリウムなどの電解質を加え、この電解質を加えた水の中に陽極側の電極と陰極側の電極を含浸させる。そうすると水の電気分解が始まる。水の電気分解で電気が流れるということは、電池のマイナス側から電子が流れ出しているということで、この電子は水に浸した陰極側の電極で水に反応して水素が発生する。この水素を貯め、火に近づけるとシュッと音がして爆発する。この反応を化学式で書くと、以下の式１のようになる。
２Ｈ２Ｏ（水）＋２ｅ−（電子）→Ｈ２（水素）＋２ＯＨ−（水酸化イオン）・・・式１【０００３】  もう一方の陽極側の電極では、次に示す式２のような反応がおき、水と酸素と電子が発生し、発生した電子は陽極に渡され、電線を通って電池のプラス極へ流れる。この陽極側の電極で発生した酸素を貯めて火を近づけるとボッと燃える。
２ＯＨ−（水酸化イオン）→Ｈ２Ｏ（水）＋（１／２）Ｏ２（酸素）＋２ｅ−（電子）・・・式２【０００４】これらの式１、式２の反応式を足し合わせたものが次式の電気分解を表す反応式で、左右の辺の同じものが消え、次の式３のように水から水素と酸素ができる。
Ｈ２Ｏ（水）→Ｈ２（水素）＋（１／２）Ｏ２（酸素）・・・式３【０００５】  以上のように、水の中に陰陽の両電極を含浸させ、プラスとマイナスの電気を流すと水が分解して水素と酸素が発生するのである。【０００６】  この原理を利用して、発生させた水素をエンジンの燃料とする手法は種々開示されている。
【特許文献１】特開平１１−２５７２０６号公報（第４頁  第２図）
【発明の開示】
【発明が解決しようとする課題】
【０００７】  しかし、従来技術で説明した、水の電気分解による水素を発生させる手法を使うとしても、その手法に問題があり、実際にエンジンに供給する量の水素を発生させることができずに実用的でないという問題がある。
従って、有効的に水素ガスを発生させ、その発生させた水素ガスを利用して、現存の内燃機関の燃料とする構成に解決しなければならない課題を有する。
【課題を解決するための手段】
【０００８】  上記課題を解決するために、本願発明の水素ガスを用いた内燃機関及び機関体は、次に示す構成にしたことである。【０００９】（１）水素ガスを用いた内燃機関は、水素ガスを伸縮自在であって真空状態に維持されている貯留体に貯留する水素ガス貯留手段と、前記水素ガス貯留手段により貯留されている水素ガスを所定の圧力を加えて送出する加圧手段と、前記加圧手段により加圧された水素ガスを燃焼室で燃焼させる燃焼手段と、を備えたことである。
（２）前記水素ガス貯留手段は、水素ガスを供給する供給手段から貯留体に水素ガスを貯留する構成を備えたことを特徴とする（１）に記載の水素ガスを用いた内燃機関。
（３）前記水素ガス貯留手段は、電気分解により水素ガスを発生させる水素ガス発生手段から貯留体に水素ガスを貯留する構成を備えたことを特徴とする（１）に記載の水素ガスを用いた内燃機関。
（４）前記水素ガス貯留手段は、前記貯留体を保護するカバーを取付けたことを特徴とする（１）乃至（３）に記載の水素ガスを用いた内燃機関。
（５）前記燃焼手段には、起動時に化石燃料に基づいて燃焼させる起動用燃焼手段を備えたことを特徴とする（１）に記載の水素ガスを用いた内燃機関。【００１０】（６）機関体は、内燃機関による駆動手段を備えた機関体であって、水素ガスを伸縮自在であって真空状態に維持されている貯留体に貯留する水素ガス貯留手段と、前記水素ガス貯留手段により貯留されている水素ガスを所定の圧力を加えて送出する加圧手段と、前記加圧手段により加圧された水素ガスを燃焼室で燃焼させる燃焼手段と、を備えたことである。
（７）前記水素ガス貯留手段は、水素ガスを供給する供給手段から貯留体に水素ガスを貯留する構成を備えたことを特徴とする（６）に記載の機関体。
（８）前記水素ガス貯留手段は、電気分解により水素ガスを発生させる水素ガス発生手段から貯留体に水素ガスを貯留する構成を備えたことを特徴とする（６）に記載の水素ガスを用いた内燃機関。
（９）前記水素ガス貯留手段は、前記貯留体を保護するカバーを取付けたことを特徴とする（６）乃至（８）に記載の機関体。
（１０）前記燃焼手段には、起動時に化石燃料に基づいて燃焼させる起動用燃焼手段を備えたことを特徴とする（６）に記載の機関体。
【発明の効果】
【００１１】  本提案によれば、水素ガスを伸縮自在であって真空状態に維持されている貯留体に貯留するようにし、且つ一定の圧力をかけて燃焼室に送り込むようにしたことで水素ガス発生から燃焼室に供給する間において、空気等が入り込めず、純水な水素ガスを燃焼室に圧力をかけて送り込めるため、良好な燃焼を発生させることができる。
【発明を実施するための最良の形態】
【００１２】  次に、本願発明に係る水素ガスを用いた内燃機関及び機関体の実施形態について、図面を参照して以下説明する。
【実施例１】
【００１３】  本願発明の水素ガスを用いた内燃機関を搭載した機関体は、図１に示すように、従来技術で説明したファラデーの電気分解の法則を利用して水素ガスを発生させ、その発生した水素ガスを燃焼室に供給することで爆発させる内燃機関を備えた構成になっている。
その構成は、電気分解により水素ガスを発生させる水素ガス発生手段１１と、水素ガス発生手段１１により発生した水素ガスを伸縮自在であって真空状態に維持されている貯留体１４に貯留する水素ガス貯留手段１２と、水素ガス貯留手段１２により貯留されている水素ガスを所定の圧力を加えて送出する加圧手段１７と、加圧手段１７により加圧された水素ガスを燃焼室２２で燃焼させる燃焼手段２０と、を備えた構成になっている。【００１４】  貯留体１４は、伸縮自在な弾力性のある材質、例えば、ゴム等で構成され、その内部は真空に密封された状態になっている。【００１５】  水素ガス貯留手段１２は、電気分解により水素ガスを発生させる水素ガス発生手段１１から水素ガスを供給されるようになっているが、実施例においては予め水素ガスを貯留している水素ガス供給手段１６から必要に応じて水素ガスを供給してもらう構成になっている。そのため、切替え手段１５の切替えにより水素ガス供給手段１６からの供給か水素ガス発生手段１１からの供給かを切り替える。水素ガス供給手段は、水素ガスが充填されているボンベで構成され、所定位置に固定されていても又は可搬性であってもよい。【００１６】  又、この水素ガス貯留手段１２は、伸縮性の弾力性のある部材、例えばゴム部材で形成され、内部に水素ガスを入れると膨張して所定の圧力を持って維持することができる。更に、この膨張する水素ガス貯留手段の周囲にはカバー１３をして一定の膨張まで維持させ且つ破損を防止する。
加圧手段１７は、圧縮ポンプで構成され、水素ガス貯留手段１２に貯留されている水素ガスを燃焼室２２に強制的に供給する。【００１７】  内燃機関２１は通常の化石燃料、例えば、ガソリンで駆動する機関であり、燃焼手段である燃焼室にガソリンを供給してピストン２３を駆動させる。【００１８】  そして、燃焼初期においては起動手段１８からガソリンを供給して燃焼させた後に切替え手段１９で切替えて加圧手段１７により加圧された水素ガスを燃焼室２２に供給してピストン２３を駆動させる。【００１９】  機関体は、内燃機関が搭載できるものであればよく、例えば、自動車、二輪車、船舶、内燃機関を搭載した機材、例えば、芝刈り機、チェーンソー等の全てに適応できる。
【産業上の利用可能性】
【００２０】  水素ガスを伸縮自在であって真空状態に維持されている貯留体に貯留するようにし、且つ一定の圧力をかけて燃焼室に送り込むようにすることで、水素ガス発生から燃焼室に供給する間において、空気等が入り込めず、純水な水素ガスを燃焼室に圧力をかけて送り込める水素ガスを用いた内燃機関を提供する。
【図面の簡単な説明】
【００２１】
【図１】  本願発明の水素ガスを用いた内燃機関を備えた機関体を示した説明図である。
【符号の説明】
【００２２】１１      水素ガス発生手段
１２      水素ガス貯留手段
１３      カバー
１４      貯留体
１５      切替え手段
１６      水素ガス供給手段
１７      加圧手段
１８      起動手段
１９      切替え手段
２０      燃焼手段
２１      内燃機関
２２      燃焼室
２３      ピストン。
【図１】
2006258085.tif 000003